(57)【要約】      （修正有）【課題】本考案は、使い勝手が向上されたファイルボックスを提供する。【解決手段】ファイルボックス１は、環状に形成された周壁部３と、周壁部３の一端の開口を塞ぎ、ファイルが収容される収容部１０を周壁部３とともに画定する底部と、周壁部３の他端の側に設けられ収容部１０に収容されるファイルを見分けるための見出しが配置される端側見出配置部７１と、周壁部３の周囲に設けられ収容部１０に収容されるファイルを見分けるための見出しが配置される周側見出配置部７２とを備える。【選択図】図１
0003204050.tif 000002
【実用新案登録請求の範囲】
【請求項１】
環状に形成された周壁部と、
前記周壁部の一端の開口を塞ぎ、ファイルが収容される収容部を前記周壁部とともに画定する底部と、
前記周壁部の他端の側に設けられ前記収容部に収容されるファイルを見分けるための見出しが配置される端側見出配置部と、
前記周壁部の周囲に設けられ前記収容部に収容されるファイルを見分けるための見出しが配置される周側見出配置部と
を備えるファイルボックス。
【請求項２】
前記端側見出配置部と前記周側見出配置部とは隣接して配置されている
請求項１に記載のファイルボックス。
【請求項３】
開口端部と、前記開口端部を介して外部空間と連通される中空部とを有し、前記周壁部から突出する中空突出部をさらに備え、
前記端側見出配置部及び前記周側見出配置部は、前記中空突出部に設けられている
請求項２に記載のファイルボックス。
【請求項４】
前記周壁部は、
前記中空突出部が突出する第一壁部と、
前記中空突出部が突出する方向とは反対方向に前記第一壁部から延在する第二壁部と、
前記第二壁部の端部から延在し前記第一壁部と対向して配置された第三壁部と、
前記第三壁部の端部から前記第一壁部の端部に延在し前記第二壁部に対向して配置された第四壁部と
を有する
請求項３に記載のファイルボックス。
【請求項５】
前記第三壁部は、前記一端よりも前記他端に近い領域を開口して形成された開口部を有する
請求項４に記載のファイルボックス。
【請求項６】
前記第二壁部は、前記他端かつ前記第一壁部及び前記第三壁部の少なくともいずれか一方の側に設けられ前記第二壁部が延在する方向に張り出す第一張出領域を有し、
前記第四壁部は、前記他端かつ前記第一壁部及び前記第三壁部の少なくともいずれか一方の側に設けられ前記第四壁部が延在する方向に張り出す第二張出領域を有する
請求項４又は５に記載のファイルボックス。
【請求項７】
前記底部は、前記収容部の側に設けられた凹凸部を有する
請求項１から６までのいずれか一項に記載のファイルボックス。
【請求項８】
前記凹凸部は、直線状に並んで延在し前記凹凸部の頂部を含む仮想平面に対して傾斜する複数の傾斜部を有する
請求項７に記載のファイルボックス。
【請求項９】
前記傾斜部は、
前記仮想平面に対して傾斜する第一斜面と、
前記他端から遠ざかるほど前記第一斜面に近付くように傾斜する第二斜面と、
前記第一斜面と前記第二斜面とが最も近付く場所で前記第一斜面の端部と前記第二斜面の端部とを接続する接続部と
を有する請求項８に記載のファイルボックス。
【請求項１０】
前記傾斜部は、前記第一斜面及び前記第二斜面が延在する方向に直交する方向の断面が逆二等辺三角形状を有する
請求項９に記載のファイルボックス。
【請求項１１】
環状に配置された周壁部と、
前記周壁部の一端の開口を塞ぎ、ファイルが収容される収容部を前記周壁部とともに画定し、前記収容部の側に設けられた凹凸部を有する底部と
を備えるファイルボックス。
【考案の詳細な説明】
【技術分野】
【０００１】
本考案は、書類やファイルを収容するファイルボックスに関する。
【背景技術】
【０００２】
書類を収容するファイルには、フラットファイルやリングファイルのように収容された書類の内容を見分けるための見出しを背表紙などに記載できるタイプや、クリアファイルのように見出しを記載できないタイプなど、種々のタイプのファイルが存在する。
【０００３】
このようなファイルや書類を収容し保存するためのファイルボックスが知られている（例えば特許文献１及び２）。ファイルに綴じられていない書類や見出しを記載できないタイプのファイルが、このようなファイルボックスに収容されると、収容されている書類の内容を把握できない場合がある。また、ファイルボックスの収容量に対して収容された書類やファイルの量が少ないと、書類やファイルが自重によってファイルボックス内に沈み込んでしまい、書類やファイルが撓んでしまう場合がある。この場合、ファイルボックスから書類やファイルを引き出すのが困難になる。このように、従来のファイルボックスは、使い勝手が十分でないという問題を有している。
【先行技術文献】
【特許文献】
【０００４】
【特許文献１】特開平９−１７５０７１号公報
【特許文献２】特開２０１５−３６２２０号公報
【考案の概要】
【考案が解決しようとする課題】
【０００５】
本考案の目的は、使い勝手が向上されたファイルボックスを提供することにある。
【課題を解決するための手段】
【０００６】
本考案の一態様によるファイルボックスは、環状に形成された周壁部と、前記周壁部の一端の開口を塞ぎ、ファイルが収容される収容部を前記周壁部とともに画定する底部と、前記周壁部の他端の側に設けられ前記収容部に収容されるファイルを見分けるための見出しが配置される端側見出配置部と、前記周壁部の周囲に設けられ前記収容部に収容されるファイルを見分けるための見出しが配置される周側見出配置部とを備えることを特徴とする。
【考案の効果】
【０００７】
本考案の一態様によれば、使い勝手が向上する。
【図面の簡単な説明】
【０００８】
【図１】本考案の第１実施形態によるファイルボックス１の外観斜視図である。
【図２】本考案の第１実施形態によるファイルボックス１の概略構成を示す図であって、図２（ａ）はファイルボックス１の平面図であり、図２（ｂ）はファイルボックス１の正面図であり、図２（ｃ）はファイルボックス１の右側面図であり、図２（ｄ）はファイルボックス１の背面図であり、図２（ｅ）はファイルボックス１の底面図である。
【図３】本考案の第１実施形態によるファイルボックス１を説明する図であって、図３（ａ）は図２（ｃ）中に示すＡ−Ａ線で切断したファイルボックス１の断面図であり、図３（ｂ）は図３（ａ）中に示す破線円αで囲まれた領域の拡大図である。
【図４】本考案の第２実施形態によるファイルボックス用シート６の概略構成を示す図であって、図４（ａ）はファイルボックス用シート６の外観斜視図であり、図４（ｂ）はファイルボックス用シート６の正面図であり、図４（ｃ）はファイルボックス用シート６の平面図である。
【考案を実施するための形態】
【０００９】
〔第１実施形態〕
本考案の第１実施形態によるファイルボックスについて図１から図３を用いて説明する。本実施形態によるファイルボックス１は、例えばＡ４の用紙サイズの書類やファイルなど（以下、「ファイルなど」と総称する）を収容して保存するのが好適なファイルボックスである。ファイルボックス１は、左側面及び右側面が同一の形状を有しているため、図２ではファイルボックス１の左側面の図示が省略されている。
【００１０】
図１及び図２に示すように、ファイルボックス１は、一方が開放された箱形状を有している。ファイルボックス１は樹脂で形成されている。ファイルボックス１は、環状に形成された周壁部３と、周壁部３の一端の開口を塞いで設けられた底部５とを備えている。底部５は、周壁部３とともに、ファイルなどが収容される収容部１０を画定している。底部５によって塞がれていない周壁部３の他端は開放されている。ファイルボックス１は、周壁部３の他端の側（以下、「他端側」と称する）からファイルなどを収容部１０に収容するように構成されている。
【００１１】
（周壁部の構成）
周壁部３は、周壁部３の他端側から収容部１０を見たときに、長方形状の環状に形成されている（図２（ａ）参照）。周壁部３は、中空突出部７（詳細は後述する）が突出する第一壁部３１と、中空突出部７が突出する方向とは反対方向に第一壁部３１から延在する第二壁部３２と、第二壁部３２の端部から延在し第一壁部３１と対向して配置された第三壁部３３と、第三壁部３３の端部から第一壁部３１の端部に延在し第二壁部３２に対向して配置された第四壁部３４とを有している。第一壁部３１は正面側に配置され、第二壁部３２は右側に配置され、第三壁部３３は背面側に配置され、第四壁部３４は左側に配置されている。また、周壁部３は、一端の側（以下、「一端側」と称する）つまり底部５の面積より他端側の面積の方が大きく形成されている。つまり、周壁部３は、他端側から一端側に向かって第一壁部３１、第二壁部３２、第三壁部３３及び第四壁部３４が近付くように傾斜している。このため、ファイルボックス１は全体的に、他端側の開放端から一端側の底部５に向かって中空の逆四角錐台形状を有している。
【００１２】
図１及び図２（ｂ）に示すように、第一壁部３１は薄板形状を有している。第一壁部３１は逆台形状の外形を有している。また、図１及び図２（ｄ）に示すように、第三壁部３３は薄板形状を有している。第三壁部３３は第一壁部３１と同一の逆台形状の外形を有している。
【００１３】
第二壁部３２は薄板形状を有している。第二壁部３２におけるファイルボックス１の他端は、第一壁部３１及び第三壁部３３の間の中間点ＣＰで底部５に最も近付く円弧状の曲線形状を有している。したがって、周壁部３の一端から他端に向かう方向を周壁部３の高さ方向とすると、周壁部３の高さ方向における第二壁部３２の長さは、中間点ＣＰにおいて最短となる。ここで、第二壁部３２における中間点ＣＰを通るように底部５と平行に第三壁部３３（又は第一壁部３１）に向かって引いた仮想線と第三壁部３３（又は第一壁部３１）との交点、すなわち第二壁部３２における中間点ＣＰを第三壁部３３（又は第一壁部３１）に投影した点を投影点ＰＰとする。周壁部３の高さ方向における投影点ＰＰから第三壁部３３側のファイルボックス１の他端の端部までの長さＬ２は、同方向における底部５から投影点ＰＰまでの長さＬ１よりも短い。また、周壁部３の高さ方向における投影点ＰＰから第一壁部３１側のファイルボックス１の他端の端部までの長さは、同方向における長さＬ２と同じ長さであり、底部５から投影点ＰＰまでの長さＬ１よりも短い。長さＬ２は、周壁部３の最大の高さＨの１／２の長さよりも短く、周壁部３の最大の高さＨの例えば４０％の長さである。
【００１４】
第四壁部３４は、第二壁部３２と同一の形状を有している。ここで、第四壁部３４における中間点ＣＰを通るように底部５と平行に第三壁部３３（又は第一壁部３１）に向かって引いた仮想線と第三壁部３３（又は第一壁部３１）との交点、すなわち第四壁部３４における中間点ＣＰを第三壁部３３（又は第一壁部３１）に投影した点を投影点ＰＰ（不図示）とする。したがって、第四壁部３４における底部５から投影点ＰＰまでの長さＬ１（不図示）は、周壁部３の最大の高さＨの１／２よりも長く、周壁部３の最大の高さＨの例えば６０％の長さである。また、第四壁部３４の周壁部３の高さ方向における投影点ＰＰ（不図示）からファイルボックス１の他端の両端部までのそれぞれの長さＬ２（不図示）は、周壁部３の最大の高さＨの１／２の長さよりも短く、周壁部３の最大の高さＨの例えば４０％の長さである。このように、ファイルボックス１は、周壁部３の高さ方向における第二壁部３２及び第四壁部３４の最短の長さＬ１を周壁部３の最大の高さＨの１／２の長さよりも長くすることにより、収容部１０に収容したファイルなどが第二壁部３２又は第四壁部３４からファイルボックス１が配置される外部空間に倒れてしまうのを防止できるようになっている。
【００１５】
また、第二壁部３２及び第四壁部３４における底部５から中間点ＣＰまでの長さＬ１を周壁部３の最大の高さＨの１／２の長さよりも長くすることにより、ファイルボックス１の成型時に第二壁部３２及び第四壁部３４が収容部１０側に倒れにくくなる。これにより、完成したファイルボックス１は、第二壁部３２及び第四壁部３４の収容部１０側への反り返り量が低減される。
【００１６】
また、第二壁部３２及び第四壁部３４の端部における周壁部３の他端は、円弧状の滑らかに連続する曲線形状を有し、不連続となる角部を有していない。端部に角部が設けられている壁部は、成型条件を求める場合に角部を境界とする領域の集合体と見なければならず、この領域ごとの成型条件を調整しなければならない。これに対し、端部に角部を有さない第二壁部３２及び第四壁部３４は一続きの領域と見ることができるので、第二壁部３２及び第四壁部３４のそれぞれの成型条件は１つになる。これにより、角部を境界とする領域ごとの成型条件を調整しなければならない場合と比較して、第二壁部３２及び第四壁部３４を形成するのが容易となる。
【００１７】
図１及び図２（ｃ）に示すように、第二壁部３２は、周壁部３の他端かつ第一壁部３１及び第三壁部３３の少なくともいずれか一方の側に設けられ第二壁部３２が延在する方向に張り出す第一張出領域を有している。ここで、第二壁部３２が延在する方向は、第一壁部３１から第三壁部３３に向かう方向又はこの逆方向である。本実施形態によるファイルボックス１では、第二壁部３２は、周壁部３の他端かつ第三壁部３３の側に設けられ第二壁部３２が延在する方向に張り出す第一張出領域３２１を有している。第一張出領域３２１は、周壁部３の他端かつ第三壁部３３の側において第三壁部３３から第一壁部３１に向かって張り出している。つまり、周壁部３の他端における第二壁部３２及び第三壁部３３の交点ＶＰと、第二壁部３２における中心点ＣＰとを結ぶ仮想直線を「ＢＬ」とすると、第一張出領域３２１は、第二壁部３２における周壁部３の他端と仮想直線ＢＬとで囲まれる領域に相当する。第一張出領域３２１は、第二壁部３２における周壁部３の他端の第三壁部３３側の端部と中間点ＣＰとの間に形成された変曲点ＩＰを含んでいる。より具体的に、第二壁部３２における周壁部３の他端は、第三壁部３３側から所定位置まで底部５側に僅かに傾斜しつつ第一壁部３１に向かって延出し、この所定位置を超えるとこの所定位置までの傾斜角度よりも大きな角度で底部５側に傾斜しつつ第一壁部３１に向かって中間点ＣＰに到達する。この所定位置が変曲点ＩＰとなる。このように、第二壁部３２は、底部５側に向かう傾斜角度が大きくなるような変曲点を第三壁部３３の近傍に持つことにより、周壁部３の他端かつ第三壁部３３の近傍において第一壁部３１側に向かって張り出す第一張出領域３２１を有することができる。
【００１８】
また、第四壁部３４は、周壁部３の他端かつ第一壁部３１及び第三壁部３３の少なくともいずれか一方の側に設けられ第四壁部３４が延在する方向に張り出す第二張出領域を有している。ここで、第四壁部３４が延在する方向は、第一壁部３１から第三壁部３３に向かう方向又はこの逆方向である。本実施形態によるファイルボックス１では、第四壁部３４は、周壁部３の他端かつ第三壁部３３の側に設けられ第四壁部３４が延在する方向に張り出す第二張出領域３４１を有している（図１参照）。第二張出領域３４１は、周壁部３の他端かつ第四壁部３４の側において第四壁部３４から第一壁部３１に向かって張り出している。つまり、周壁部３の他端における第二壁部３２及び第四壁部３４の交点ＶＰと第四壁部３４における中心点ＣＰとを結ぶ仮想直線を「ＢＬ」（不図示）とすると、第二張出領域３４１は、第四壁部３４における周壁部３の他端と仮想直線ＢＬとで囲まれる領域に相当する。第二張出領域３４１は、第四壁部３４における周壁部３の他端の第三壁部３３側の端部と中間点ＣＰとの間に形成された変曲点ＩＰを含んでいる（図２（ａ）参照）。より具体的に、第四壁部３４における周壁部３の他端は、第三壁部３３側から所定位置まで底部５側に僅かに傾斜しつつ第一壁部３１に向かって延出し、この所定位置を超えるとこの所定位置までの傾斜角度よりも大きな角度で底部５側に傾斜しつつ第一壁部３１に向かって中間点ＣＰに到達する。この所定位置が変曲点ＩＰとなる。このように、第四壁部３４は、底部５側に向かう傾斜角度が大きくなるような変曲点を第三壁部３３の近傍に持つことにより、周壁部３の他端かつ第三壁部３３の近傍において第一壁部３１側に向かって張り出す第二張出領域３４１を有することができる。
【００１９】
ファイルボックス１は、第二壁部３２に第一張出領域３２１を有することにより、収容部１０に収容したファイルなどが第二壁部３２からファイルボックス１が配置される外部空間に倒れてしまいそうになっても、収容されたファイルなどの４つの角部のうちの第二壁部３２及び第三壁部３３近傍に配置される角部が第一張出領域３２１に接触する。これにより、ファイルボックス１は、収容部１０に収容したファイルなどが第二壁部３２側から飛び出してしまうのを防止できる。また、ファイルボックス１は、第四壁部３４に第二張出領域３４１を有することにより、収容部１０に収容したファイルなどが第四壁部３４から外部空間に倒れてしまいそうになっても、このファイルなどの４つの角部のうちの第四壁部３４及び第三壁部３３近傍に配置される角部が第二張出領域３４１に接触する。これにより、ファイルボックス１は、収容部１０に収容したファイルなどが第四壁部３４側から外部空間に倒れてしまうのを防止できる。
【００２０】
図１及び図２に示すように、ファイルボックス１は、開口端部７５（図２（ｂ）、図２（ｃ）及び図２（ｅ）参照）と、開口端部７５を介して周壁部３及び底部５、すなわちファイルボックス１が配置される外部空間と連通される中空部７６（図２（ｅ）参照）とを有し周壁部３から突出する中空突出部７を備えている。中空突出部７は、第一壁部３１から底部５に平行な方向に延在する平板部７３と、開口端部７５を一端部とし平板部７３に他端部が塞がれた側壁部７４とを有している。側壁部７４は、第一壁部３１の一部を囲むように配置されている。つまり、側壁部７４は、平板部７３側から見ると、コの字状に形成されている。側壁部７４の一方の端部は第二壁部３２と一体に設けられ、側壁部７４の他方の端部は第四壁部３４と一体に設けられている。
【００２１】
中空突出部７に設けられた中空部７６は、平板部７３、側壁部７４及び側壁部７４に対向する第一壁部３１の領域によって画定されている。中空突出部７は、人間の手の指が中空部７６に挿入できる程度に周壁部３から突出している。このため、中空突出部７は、ファイルボックス１を持ち上げるときにファイルボックス１の使用者が把持する把持部としての機能を発揮する。
【００２２】
ファイルボックス１は、周壁部３の他端側に設けられ収容部１０に収容されるファイルなどを見分けるための見出しが配置される端側見出配置部７１と、周壁部３の周囲に設けられ収容部１０に収容されるファイルなどを見分けるための見出しが配置される周側見出配置部７２とを備えている。端側見出配置部７１及び周側見出配置部７２は長方形状を有している。端側見出配置部７１及び周側見出配置部７２は、例えば見出しを記載したシール状部材が貼付されたり、見出しを記載した部材が両面テープやセロハンテープなどで貼付されたりできるように構成されている。端側見出配置部７１及び周側見出配置部７２は、中空突出部７に設けられている。端側見出配置部７１は平板部７３に設けられ、周側見出配置部７２は側壁部７４に設けられている。端側見出配置部７１及び周側見出配置部７２は、長辺を接触させて隣接して配置されている。中空突出部７の平板部７３及び側壁部７４は、直交している。このため、平板部７３に設けられた端側見出配置部と、側壁部７４に設けられた周側見出配置部とは、直交して配置されている。
【００２３】
図１及び図２（ｄ）に示すように、周壁部３に設けられた第三壁部３３は、ファイルボックス１の一端よりも他端に近い領域を開口して形成された開口部３３１を有している。開口部３３１は、第三壁部３３の短手方向が長手方向となる横長孔形状を有している。開口部３３１の長手方向の長さは、人間の手の指を複数本合わせた長さよりも長くなっている。また、開口部３３１の短手方向の長さは人間の指の太さよりも長くなっている。このため、開口部３３１は、ファイルボックス１の使用者がファイルボックス１を持ち上げたり移動させたりするときに指を挿入させてファイルボックス１を把持する把持部としての機能を発揮するようになっている。
【００２４】
また、第三壁部３３は、開口部３３１の周囲であって第三壁部３３の外表面から外部空間側に向かって突出する周囲突出部３３２を有している。周囲突出部３３２の端部は曲面形状に形成されている。このため、開口部３３１に指を挿入したときの触感が向上される。これにより、多量のファイルなどが収容部１０に収容されたファイルボックス１を開口部３３１を把持して持ち上げたり移動させたりしても、ファイルボックス１は使用者に痛みなどの不快感を与えないようになっている。
【００２５】
ファイルボックス１は、第一壁部３１から突出する中空突出部７と、第三壁部３３に形成された開口部３３１とを有している。このため、ファイルボックス１は、対向して配置された把持部を有していると見ることもできる。多量のファイルなどが収容部１０に収容されファイルボックス１が相対的に重い場合には、ファイルボックス１の使用者は中空突出部７及び開口部３３１の両方を用いることによりファイルボックス１を容易に持ち上げたり移動させたりすることができる。一方、少量のファイルなどが収容部１０に収容されていたりファイルなどが収容部１０に収容されておらずファイルボックス１が相対的に軽い場合には、ファイルボックス１の使用者は中空突出部７及び開口部３３１の少なくともいずれかを用いてファイルボックス１を容易に持ち上げたり移動させたりすることができる。
【００２６】
図１及び図２に示すように、周壁部３は、周壁部３の他端に設けられ収容部１０とは反対側に折り曲げられた縁部３５を有している。縁部３５は、第二壁部３２、第三壁部３３及び第四壁部３４における周壁部３の他端に設けられている。第一壁部３１における周壁部３の他端には、中空突出部７の平板部７３が接続されているため、縁部３５が設けられていない。縁部３５は、周壁部３の強度を向上させるために設けられているが、ファイルボックス１の使用者が指を引っ掛ける引掛部としての機能も発揮するようになっている。このため、縁部３５は、例えばファイルボックス１を第二壁部３２側又は第四壁部３４側に傾けるときに利用することができる。
【００２７】
ファイルボックス１は、机の最下段の大引出しの一方の側壁の内周面に第一壁部３１及び第三壁部３３のいずれか一方を対面させた状態でこの大引出しに入れることができる大きさに形成されている。このため、ファイルボックス１が例えば机の最下段の大引出しに入れた状態で使用される場合、周壁部３の他端側、すなわちファイルボックス１の上部に配置された端側見出配置部７１は、この引き出しの上方に向けられて配置される。このため、机の最下段の大引出しに入れたファイルボックス１は、ファイルボックス１の使用者の目線の下方に配置されるが、端側見出配置部７１がこの大引出しの上方に向けられて配置されているため、使用者は目線を落とすだけで端側見出配置部７１に配置された見出しを確認し、ファイルボックス１に収容されたファイルなどの内容を認識することができる。
【００２８】
また、ファイルボックス１が例えば書棚に配置されて使用される場合、ファイルボックス１は、第三壁部３３が書棚の奥側に配置され、第一壁部３１が書棚の手前側に配置される。このため、第一壁部３１の前面に設けられた周側見出配置部７２は、書棚の外側に向かって露出して配置される。これにより、ファイルボックス１の使用者は、ファイルボックス１を書棚から引き出したりせずにファイルボックス１が書棚に配置された状態のままで、周側見出配置部７２に配置された見出しを確認し、ファイルボックス１に収容されたファイルなどの内容を認識することができる。
【００２９】
また、ファイルボックス１が例えば第三壁部３３を下側に向けた状態で書棚に配置されて使用される場合であってファイルボックス１が使用者の目線と同じか上に置かれていると、使用者は、端部見出配置部７１に配置された見出しを確認し、ファイルボックス１に収容されたファイルなどの内容を認識することができる。このように、ファイルボックス１の使用者は、ファイルボックス１を書棚から下ろさずにファイルボックス１に収容されたファイルなどの内容を認識することができる。さらに、ファイルボックス１が例えば第三壁部３３を下側に向けた状態で書棚に配置されて使用される場合であってファイルボックス１が使用者の目線よりも下に置かれていると、使用者は、周側見出配置部７２に配置された見出しを確認し、ファイルボックス１に収容されたファイルなどの内容を認識することができる。このように、ファイルボックス１の使用者は、しゃがんで覗き込まずにファイルボックス１に収容されたファイルなどの内容を認識することができる。
【００３０】
このように、ファイルボックス１は、端側見出配置部７１及び周側見出配置部７２を備えているので、ファイルボックス１の使用者は、ファイルボックス１を動かさずに端側見出配置部７１及び周側見出配置部７２の少なくともいずれか一方を確認し、収容されているファイルなどの内容を認識することができる。このように、ファイルボックス１は使い勝手の向上が図られている。
【００３１】
（底部の構成）
次に、底部５の構成について説明する。図２（ａ）及び図２（ｅ）に示すように、底部５は、第一壁部３１に近接して設けられた平坦部５２ａと、第三壁部３３に近接して設けられた平坦部５２ｂと、平坦部５２ａ及び平坦部５２ｂの間に配置された凹凸部５１とを有している。
【００３２】
平坦部５２ａ及び平坦部５２ｂは長方形の薄板形状を有している。平坦部５２ａには、第四壁部３４に隣接して平坦部５２ａを貫通する貫通孔５３ａと、第二壁部３２に隣接して平坦部５２ａを貫通する貫通孔５３ｂとが設けられている。平坦部５２ｂには、第二壁部３２に隣接して平坦部５２ｂを貫通する貫通孔５３ｃと、第四壁部３４に隣接して平坦部５２ｂを貫通する貫通孔５３ｄとが設けられている。貫通孔５３ａ，５３ｂ，５３ｃ，５３ｄは、ファイルなどを収容部１０に収容する際に空気の抜け穴としての機能を発揮するようになっている。特に、収容部１０に多量のファイルなどが収容されている状態で、さらに収容部１０にファイルなどを収容する際、ファイルなどが収容部１０に押し込まれると収容部１０に存在した空気の一部が貫通孔５３ａ，５３ｂ，５３ｃ，５３ｄから外部空間に抜ける。これにより、ファイルボックス１は、収容部１０へのファイルなどの収容時の空気抵抗を低減できる。
【００３３】
図２（ｂ）から図２（ｅ）に示すように、底部５は、底部５の外表面から外部空間に向かって突出して形成された突起部５４ａ，５４ｂ，５４ｃ，５４ｄを有している。突起部５４ａ，５４ｂ，５４ｃ，５４ｄは、底部５の四隅に設けられている。突起部５４ａ，５４ｂ，５４ｃ，５４ｄは、湾曲した細長い土手形状を有している。突起部５４ａ及び突起部５４ｂは平坦部５２ａに設けられ、突起部５４ｃ及び突起部５４ｄは平坦部５２ｂに設けられている。突起部５４ａは、第一壁部３１、第四壁部３４及び貫通孔５３ａに挟まれた平坦部５２ａの領域に貫通孔５３ａの外周囲の一部に沿って配置されている。突起部５４ｂは、第一壁部３１、第二壁部３２及び貫通孔５３ｂに挟まれた平坦部５２ａの領域に貫通孔５３ｂの外周囲の一部に沿って設けられている。突起部５４ｃは、第二壁部３２、第三壁部３３及び貫通孔５３ｃに挟まれた平坦部５２ｂの領域に貫通孔５３ｃの外周囲の一部に沿って設けられている。突起部５４ｄは、第三壁部３３、第四壁部３４及び貫通孔５３ｄに挟まれた平坦部５２ｂの領域に貫通孔５３ｄの外周囲の一部に沿って設けられている。
【００３４】
突起部５４ａ，５４ｂ，５４ｃ，５４ｄは、ファイルボックス１の脚部としての機能を発揮するようになっている。突起部５４ａ，５４ｂ，５４ｃ，５４ｄは、ファイルボックス１が配置される配置面に接触され、底部５及び周壁部３をこの配置面上に支持するようになっている。
【００３５】
次に、底部５に設けられた凹凸部５１について説明する。図２（ａ）及び図３に示すように、凹凸部５１は、収容部１０側に設けられている。本実施形態では、凹凸部５１の凹凸形状は、突起部５４ａ，５４ｂ，５４ｃ，５４ｄが設けられた面側にも現されている。しかしながら、収容部１０側に凹凸形状が設けられていれば、突起部５４ａ，５４ｂ，５４ｃ，５４ｄが設けられた面側に凹凸形状が現されている必要はなく、図２（ｅ）に示すように、中央に設けられた円形部５５のように、凹凸部５１の裏面側は平坦形状であってもよい。
【００３６】
図２（ａ）に示すように、凹凸部５１は、直線状に並んで延在し凹凸部５１の頂部を含む仮想平面ＢＰ（図３（ａ）参照）に対して傾斜する複数の傾斜部５１１を有している。傾斜部５１１は、底部５の長手方向に延在して配置されている。図３（ｂ）に示すように、傾斜部５１１は、仮想平面ＢＰに対して傾斜する第一斜面５１１ａと、周壁部３の他端から遠ざかるほど第一斜面５１１ａに近付くように傾斜する第二斜面５１１ｂとを有している。また、傾斜部５１１は、第一斜面５１１ａと第二斜面５１１ｂとが最も近付く場所で第一斜面５１１ａの端部と第二斜面５１１ｂの端部とを接続する接続部５１１ｃを有している。
【００３７】
第一斜面５１１ａは、平らな平面形状を有している。同様に、第二斜面５１１ｂは、平らな平面形状を有している。このため、傾斜部５１１は、第一斜面５１１ａ及び第二斜面５１１ｂが延在する方向に直交する方向の断面が逆二等辺三角形状を有している。
【００３８】
凹凸部５１は、収容部１０に収容されるファイルなどが底部５上で滑ってしまうのを防止する滑り防止部としての機能を発揮するようになっている。より具体的に、ファイルなどは、一側面が底部５側に向けられて仮想平面ＢＰにほぼ直交した状態で収容部１０に入れられる。ファイルなどの一側面が底部５まで到達すると第一斜面５１１ａ、第二斜面５１１ｂ及び仮想平面ＢＰを構成する凹凸部５１の頂部のいずれか１つに接触する。ファイルなどの一側面が例えば第一斜面５１１ａに接触した場合には、この一側面は第一斜面５１１ａ上を滑り下りて接続部５１１ｃで受け止められて停止する。これにより、ファイルなどは、この一側面が接続部５１１ｃに保持されて収容部１０に保存される。ファイルなどの一側面が例えば第二斜面５１１ｂに接触した場合にもファイルなどは、第一斜面５１１ａに接触したのと同様に動作し、第二斜面５１１ｂ上を滑り下りて最終的に接続部５１１ｃで保持される。また、ファイルなどの一側面が凹凸部５１の頂部に接触した場合、ファイルなどの一側面は、凹凸部５１の頂部と小さい面積で接触する。このため、ファイルなどの一側面は、凹凸部５１の頂部と接触している状態を維持できず、第一斜面５１１ａ及び第二斜面５１１ｂのいずれか一方の側にずれ、ずれた方の斜面上を滑り下りて最終的に接続部５１１ｃで保持される。
【００３９】
このように、凹凸部５１に設けられた傾斜部５１１は、収容部１０に入れられたファイルなどの一側面を第一斜面５１１ａ及び第二斜面５１１ｂのいずれか一方で滑らせて接続部５１１ｃに導き、接続部５１１ｃで保持することができる。また、傾斜部５１１は、ファイルなどを接続部５１１ｃで一旦保持すると、凹凸部５１の面内方向（すなわち仮想面ＢＰの面内方向）にファイルなどが滑るのを防止できる。これにより、凹凸部５１は、ファイルなどが収容部１０において撓むのを防止できる。
【００４０】
図３（ｂ）に示すように、突起部５４ａ，５４ｂ，５４ｃ，５４ｄ（不図示）が設けられた面と仮想平面ＢＰを構成する凹凸部５１の頂部との距離Ｄ１は例えば５ｍｍである。また、仮想平面ＢＰを構成する凹凸部５１の頂部と接続部５１１ｃとの距離Ｄ２は例えば３ｍｍである。さらに、仮想平面ＢＰを構成する凹凸部５１の頂部のピッチは例えば６ｍｍである。つまり、傾斜部５１１は、ほぼ直角二等辺三角形形状の断面を有している。このように、傾斜部５１１の断面の形状及び寸法を上述のようにすることにより、１つの傾斜部５１１に例えば１つのクリアファイルが保持され易くなる。また、例えば１つのクリアファイルが隣り合う２つの傾斜部５１１に跨った状態で保持されなくなる。ここで、クリアファイルは、一般的に広く用いられているファイルであり、プラスチック素材で形成された長方形状フィルムが２つ折りにされ、折り曲げられた辺に直交する１辺が塞がれ、残余の２辺が開放されたファイルである。
【００４１】
ファイルボックス１は、同一形状のクリアファイルの折り曲げられた辺を傾斜部５１１に保持してこれらのクリアファイルを収容部１０に収容した場合、クリアファイルを撓ませることなくクリアファイルの高さを揃えた状態で収容できる。また、クリアファイルが撓まずに屹立した状態で収容部１０に収容されるため、ファイルボックス１からクリアファイルを引き出しやすくなる。このように、ファイルボックス１は、使い勝手の向上が図られている。
【００４２】
以上説明したように、本実施形態によるファイルボックス１は、端側見出配置部７１及び周側見出配置部７２を有している。これにより、ファイルボックス１は、配置される向き（底部５及び第三壁部３３のいずれを配置面に対面させて配置するか）や配置される場所（机の引出しの中や書棚の中、ファイルボックス１の使用者の目線よりも高い位置又は低い位置など）に応じて、端側見出配置部７１及び周側見出配置部７２の少なくとも一方に配置された見出しをファイルボックス１の使用者に示して収容されたファイルなど（特に見出しを付すことができないクリアファイルのような薄型ファイル）の内容を使用者に認識させることができる。これにより、ファイルボックス１の使い勝手が向上する。
【００４３】
また、ファイルボックス１は、底部５に設けられた凹凸部５１を有している。これにより、ファイルボックス１は、収容部１０に収容されたファイルなど（特にクリアファイルのような薄型ファイル）が底部５上で滑ることにより収容部１０で撓んでしまうのを防止できる。また、ファイルボックス１は、収容部１０に収容されたファイルなどを撓ませずにファイルなどを屹立させた状態で収容できる。これにより、ファイルボックス１は、周壁部３の他端側からファイルなどを引き出しやすくなるので、使い勝手の向上を図ることができる。
【００４４】
〔第２実施形態〕
次に、本考案の第２実施形態によるファイルボックス用シートについて図４を用いて説明する。
図４（ａ）に示すように、本実施形態によるファイルボックス用シート６は、薄板形状を有し、ファイルボックス（不図示）の底部上に敷くことができるように構成されている。ファイルボックス用シート６は、薄板状に形成されたベース部６２と、ベース部６２上に設けられた凹凸部６１とを備えている。凹凸部６１は、上記第１実施形態によるファイルボックス１の底部５に設けられた凹凸部５１と同様の構成を有している。
【００４５】
図４（ｂ）及び図４（ｃ）に示すように、凹凸部６１は、複数の傾斜部６１１を備えている。複数の傾斜部６１１は、上記第１実施形態における凹凸部５１に設けられた傾斜部５１１と同様の構成を有している。なお、図４では、理解を容易にするため、複数の傾斜部６１１のうちの１つの傾斜部６１１のみに参照符号が付されている。傾斜部６１１は、凹凸部６１の頂部を含む仮想平面ＢＰに対して傾斜する第一斜面６１１ａと、ベース部６２に近付くほど第一斜面６１１ａに近付くように傾斜する第二斜面６１１ｂとを有している。また、傾斜部６１１は、第一斜面６１１ａと第二斜面６１１ｂとが最も近付く場所で第一斜面６１１ａの端部と第二斜面６１１ｂの端部とを接続する接続部６１１ｃを有している。
【００４６】
ファイルボックス用シート６は、ファイルボックスの底部にベース部６２を対面させた状態でファイルボックスの収容部に設置される。これにより、ファイルボックス用シート６は、凹凸部６１が収容部の側に向けられた状態で配置される。ファイルボックスの収容部に設置されたファイルボックス用シート６に設けられた複数の傾斜部６１１は、上記第１実施形態における傾斜部５１１と同様の機能を発揮する。これにより、ファイルボックス用シート６は、ファイルボックスの収容部に収容されたファイルなど（特にクリアファイルのような薄型ファイル）を傾斜部６１１で保持できる。その結果、ファイルボックス用シート６は、ファイルボックスの収容部に収容されたファイルなどが底部上で滑ることによって収容部で撓んでしまうのを防止できる。また、ファイルボックス用シート６は、ファイルボックスの収容部に収容されたファイルなどを撓ませずにファイルなどを屹立させた状態で収容できる。これにより、ファイルボックス用シート６は、ファイルボックスからファイルなどを引き出しやすくなるので、使い勝手の向上を図ることができる。
【００４７】
本考案は、上記第１実施形態及び第２実施形態に限らず種々の変形が可能である。
上記第１実施形態における第一張出領域３２１及び第二張出領域３４１は、第一壁部３１側にも設けられていてもよい。また、第一張出領域３２１及び第二張出領域３４１は、第三壁部３３側に設けられずに第一壁部３１側のみに設けられていてもよい。このような構成を有するファイルボックス１は、上記第１実施形態によるファイルボックス１と同様の効果が得られる。
【００４８】
上記第１実施形態おける中空突出部７は、第三壁部３３側にも設けられていてもよい。この場合、第三壁部３３側に設けられた中空突出部７は、把持部としての機能を発揮するので、開口部３３１は設けられていなくてもよい。このような構成を有するファイルボックス１は、上記第１実施形態によるファイルボックス１と同様の効果が得られる。
【００４９】
端側見出配置部及び周側見出配置部は、隣接せずに離れて設けられていてもよい。
【００５０】
上記第１実施形態における凹凸部５１は、平坦部５２ａ及び平坦部５２ｂの間で断続的に設けられていても、上記第１実施形態と同様の効果が得られる。
【００５１】
上記第１実施形態における凹凸部５１及び上記第２実施形態における凹凸部６１は、凹凸部５１及び凹凸部６１がそれぞれ延在する方向に直交する方向の断面が複数の逆三角形形状が並んでいる形状ではなく、複数の球形状、複数の楕円形状及び複数の正三角形状のいずれかが並んでいる形状であっても上記第１実施形態及び上記第２実施形態と同様の効果が得られる。
【００５２】
上記第１実施形態における第一斜面５１１ａ及び第二斜面５１１ｂは、収容部１０から外部空間に向かう方向に湾曲する曲面形状、及び外部空間から収容部１０に向かう方向に湾曲する曲面形状のうちのいずれか１つの形状を有していても、上記第１実施形態と同様の効果が得られる。
【００５３】
上記第２実施形態における第一斜面６１１ａ及び第二斜面６１１ｂは、ベース部６２が設けられた方とは反対方向に湾曲する曲面形状、及びベース部６２に向かう方向に湾曲する曲面形状のうちのいずれか１つの形状を有していても、上記第２実施形態と同様の効果が得られる。
【００５４】
上記第１実施形態における凹凸部５１及び上記第２実施形態における凹凸部６１は、周期的に連続する凹凸形状を有しているが、粗面化された非連続な凹凸形状を有していても、ファイルなどの滑りを防止でき、上記第１実施形態及び上記第２実施形態と同様の効果が得られる。
【００５５】
上記第１実施形態における端側見出配置部７１及び周側見出配置部７２は、周壁部３と一体に形成されているが、周壁部３から着脱可能に構成されていてもよい。周壁部から着脱可能に構成された端側見出配置部及び周側見出配置部は、ファイルボックスの周壁部の一部（例えば上記第１実施形態における開口部３３１に対応する開口部）に取り付けられるための取付部を有し、周壁部の一部に取り付けられるように構成されていてもよい。この場合、周壁部から着脱可能に構成された端側見出配置部及び周側見出配置部は、例えば従来のファイルボックスの周壁部の一部に取り付けて用いることができる。
【００５６】
上記第１実施形態によるファイルボックス１は、底部５の平坦部５２ａに設けられた貫通孔５３ａ，５３ｂと、底部５の平坦部５２ｂに設けられた貫通孔５３ｃ，５３ｄとを有しているが、本考案はこれに限られない。例えば、平坦部５２ａには、貫通孔５３ａ及び貫通孔５３ｂに代えて底部５の外表面から外部空間に向かって突出して形成された凸部が設けられ、平坦部５２ｂには、貫通孔５３ｃ及び貫通孔５３ｄに代えて底部５の外表面から外部空間に向かって突出して形成された凸部が設けられていてもよい。これらの４つの凸部は、例えば半球状を有し、突起部５４ａ，５４ｂ，５４ｃ，５４ｄの高さ以上の高さを有していてもよい。これらの４つの凸部は、ファイルボックス１の脚部としての機能を発揮することができる。
【００５７】
上記第２実施形態によるファイルボックス用シートは、ファイルボックスの底部の面積よりも大きい面積を有し、用いられるファイルボックスの大きさに応じて任意の大きさに切り出せるように構成されていてもよい。
【００５８】
上記の実施形態は、本考案の技術的思想を具体化するための装置を例示するものであって、本考案の技術的思想は、構成部品の材質、形状、構造、配置等を上記のものに特定するものでない。本考案の技術的思想は、実用新案登録請求の範囲に記載された請求項が規定する技術的範囲内において、種々の変更を加えることができる。
【符号の説明】
【００５９】
１  ファイルボックス
３  周壁部
５  底部
６  ファイルボックス用シート
７  中空突出部
１０  収容部
３１  第一壁部
３２  第二壁部
３３  第三壁部
３４  第四壁部
３５  縁部
５１  凹凸部
５２ａ，５２ｂ  平坦部
５３ａ，５３ｂ，５３ｃ，５３ｄ  貫通孔
５４ａ，５４ｂ，５４ｃ，５４ｄ  突起部
５５  円形部
６１  凹凸部
６２  ベース部
７１  端側見出配置部
７２  周側見出配置部
７３  平板部
７４  側壁部
７５  開口端部
７６  中空部
３２１  第一張出領域
３３１  開口部
３３２  周囲突出部
３４１  第二張出領域
５１１，６１１  傾斜部
５１１ａ，６１１ａ  第一斜面
５１１ｂ，６１１ｂ  第二斜面
５１１ｃ，６１１ｃ  接続部
ＢＰ  仮想平面
ＣＰ  中間点
ＩＰ  変曲点
【図１】
0003204050.tif 000003
【図２】
0003204050.tif 000004
【図３】
0003204050.tif 000005
【図４】
0003204050.tif 000006